(57)【要約】【課題】基板と、この基板を押さえる押さえ片との接触面積を小さくして、音の発生を抑制することができる光源ユニット及びこれを有する照明器具を提供する。【解決手段】光源ユニットは、光源と、光源が実装された基板５０と、基板５０が取り付けられる金属製の取付板６とを備える。基板５０は、取付板６に対向する第１面５１と、第１面５１とは反対側の面であり、かつ光源が実装された第２面５２とを有する。取付板６は、基板５０側に向かって突出した押さえ片７を有する。押さえ片７は、第２面５２に向かって突出して第２面５２に接触する接触部７２を有する。接触部７２の第２面５２との接触面７２０が第２面に向かって突出する曲面形状に形成されている。【選択図】図５
2019133810.tif 000002
【特許請求の範囲】
【請求項１】
光源と、
前記光源が実装された基板と、
前記基板が取り付けられる金属製の取付板と
を備え、
前記基板は、
前記取付板に対向する第１面と、
前記第１面とは反対側の面であり、かつ、前記光源が実装された第２面と
を有し、
前記取付板は、
前記基板側に向かって突出した押さえ片を有し、
前記押さえ片は、
前記第２面に向かって突出して前記第２面に接触する接触部を有し、
前記接触部の前記第２面との接触面が前記第２面に向かって突出する曲面形状に形成されている、
光源ユニット。
【請求項２】
前記接触面は、弧状の曲面である、
請求項１に記載の光源ユニット。
【請求項３】
前記接触面は、球面である、
請求項１に記載の光源ユニット。
【請求項４】
前記押さえ片は、
前記第２面側が外側となるように曲がった曲がり部を有し、
前記曲がり部の前記第２面と対向する面に前記接触部が設けられている、
請求項１〜３のいずれか１項に記載の光源ユニット。
【請求項５】
前記押さえ片は、
前記第２面に沿う板状の押さえ部を有し、
前記押さえ部の前記第２面と対向する面に前記接触部が設けられている、
請求項１〜３のいずれか１項に記載の光源ユニット。
【請求項６】
請求項１〜５のいずれかの光源ユニットと、
前記光源ユニットを支持する器具本体と
を有する、
照明器具。
【発明の詳細な説明】
【技術分野】
【０００１】
本開示は、光源ユニット及び照明器具に関し、詳しくは、光源が実装される基板と、基板が取付けられる金属製の取付板とを備えた光源ユニット及びこれを有する照明器具に関する。
【背景技術】
【０００２】
特許文献１には、照明器具が開示されている。この照明器具は、複数の発光ダイオードが実装された基板と、板金で形成されたベース部材とを備えている。ベース部材は、基板が載置される本体部と、本体部の一部を切り起こすことにより形成された爪部とを有している。爪部は、基板上をスライドするように曲げられる。これにより、基板は、爪部と本体部との間に挟まれてベース部材に取り付けられる。
【先行技術文献】
【特許文献】
【０００３】
【特許文献１】特開２０１６−９１９７９号公報
【発明の概要】
【発明が解決しようとする課題】
【０００４】
特許文献１に示される照明器具において、爪部と基板とが擦れて音が発生することを抑制するためには、爪部と基板との接触面積を小さくすることが好ましい。爪部と基板とが擦れる要因には、発光ダイオードの点消灯の切換えに伴い、ベース部材及び基板の各々の温度が変化し、このときのベース部材と基板との熱膨張係数の違いにより、爪部が基板に対して変位すること等が考えられる。
【０００５】
本開示は上記事由に鑑みてなされており、基板と、この基板を押さえる押さえ片との接触面積を小さくして、音の発生を抑制することができる光源ユニット及び照明器具を提供することを目的とする。
【課題を解決するための手段】
【０００６】
前記目的を達成するために本開示の一態様に係る光源ユニットは、以下に示す構成を有する。光源ユニットは、光源と、前記光源が実装された基板と、前記基板が取り付けられる金属製の取付板とを備える。前記基板は、前記取付板に対向する第１面と、前記第１面とは反対側の面であり、かつ、前記光源が実装された第２面とを有する。前記取付板は、前記基板側に向かって突出した押さえ片を有する。前記押さえ片は、前記第２面に向かって突出して前記第２面に接触する接触部を有する。前記接触部の前記第２面との接触面が前記第２面に向かって突出する曲面形状に形成されている。
【０００７】
また、前記目的を達成するために本開示の一態様に係る照明器具は、前記光源ユニットと、前記光源ユニットを支持する器具本体とを有する。
【発明の効果】
【０００８】
本開示の一態様に係る光源ユニット及び照明器具は、基板と、この基板を押さえる押さえ片との接触面積を小さくして、音の発生を抑制することができる。
【図面の簡単な説明】
【０００９】
【図１】図１は、実施形態に係る照明器具を天井に設置した状態を示した斜視図である。
【図２】図２は、同上の照明器具を天井に設置した状態を示した断面図である。
【図３】図３は、同上の照明器具の分解斜視図である。
【図４】図４Ａは、同上の照明器具が有する、複数の光源モジュール及び取付板を示した斜視図である。図４Ｂは図４ＡのＡ部拡大図である。
【図５】図５は、同上の照明器具の要部断面図である。
【図６】図６は、同上の取付板が有する押さえ片の展開図である。
【図７】図７は、変形例１の照明器具の要部断面図である。
【図８】図８は、同上の押さえ片の展開図である。
【図９】図９は、変形例２の照明器具の要部断面図である。
【図１０】図１０は、同上の照明器具の要部斜視図である。
【発明を実施するための形態】
【００１０】
（１）概要
以下、本実施形態の光源ユニット３及びこれを備えた照明器具１について図１〜図６に基づいて説明する。図１に示すように、本実施形態の照明器具１は、天井直付け型の照明器具であって、天井材９０の下面に沿って配置され、天井材９０に吊ボルト９１（図２）を用いて取り付けられる。
【００１１】
なお、本開示の技術は、天井直付け型の照明器具以外の照明器具にも適用可能である。本開示の技術は、例えば、引掛シーリング等を介して天井に取り付けられる照明器具、壁や家具に取り付けられる照明器具又は他の部材に取り付けられずに用いられる照明器具等にも適用可能である。
【００１２】
照明器具１が備える光源ユニット３は、図３に示すように、光源５４と、光源５４が実装された基板５０と、基板５０が取り付けられる金属製の取付板６とを備える。基板５０は、第１面５１及び第２面５２を有する。第１面５１は、取付板６に対向する。第２面５２は第１面５１とは反対側の面であり、かつ、光源５４が実装される面である。
【００１３】
図４Ａ及び図４Ｂに示すように、取付板６は、基板５０側に向かって突出した押さえ片７を有する。押さえ片７は、第２面５２に向かって突出して第２面５２に接触する接触部７２を有する。接触部７２の第２面５２との接触面７２０が第２面５２に向かって突出する曲面形状に形成されている。
【００１４】
このように接触面７２０を第２面５２に向かって突出する曲面形状に形成することで、接触部７２の第２面５２との接触面積が小さくなり、基板５０と押さえ片７とが擦れて音が発生することが抑制される。
【００１５】
（２）構成
以下、本実施形態の照明器具１及び光源ユニット３の構成について、詳述する。図１に示すように、本実施形態の照明器具１は、天井材９０に取り付けられる器具本体２と、器具本体２に対して着脱可能に取り付けられる光源ユニット３とを備える。
【００１６】
器具本体２は、例えば、金属板を曲げ加工することで形成された板金加工品である。本実施形態の器具本体２は、水平方向に延び、かつ上面が開口した扁平な箱状に形成されている（図２参照）。以下、照明器具１の各構成について、器具本体２の長手方向を左右方向と規定し、上下方向及び器具本体２の長手方向の両者に直交する方向を前後方向と規定して、説明する。
【００１７】
図３に示すように、器具本体２の下面には、光源ユニット３が収容される凹溝２０が形成されている。凹溝２０は、器具本体２の長手方向の全長に亘っている。
【００１８】
器具本体２において凹溝２０の溝底を構成する部分には、複数の電源線用孔２１と、複数の吊ボルト用孔２２とが形成されている。
【００１９】
各電源線用孔２１及び各吊ボルト用孔２２は、凹溝２０の溝底を構成する部分を上下方向に貫通している。
【００２０】
吊ボルト用孔２２は、図２に示すように天井材９０を貫通した吊ボルト９１を通すための孔である。各吊ボルト用孔２２に通された吊ボルト９１には、ナット９２が取り付けられる。器具本体２は、各吊ボルト９１に取り付けられたナット９２と、天井材９０とで上下に挟まれることにより、天井材９０に対して固定される。
【００２１】
図３に示す電源線用孔２１は、天井裏から天井材９０を貫通して室内に導入された電源線を通すための孔である。
【００２２】
本実施形態の照明器具１は、端子台ブロック１１を更に備えている。端子台ブロック１１は、凹溝２０の上底面に取り付けられる取付具１１０と、取付具１１０に取り付けられる端子台１１１とを有している。端子台１１１には、天井裏から、天井材９０（図２参照）及び電源線用孔２１を通して器具本体２の凹溝２０に導入された前記電源線が接続される。
【００２３】
本実施形態の照明器具１は、図３に示す一対のエンドキャップ１０を更に備えている。一対のエンドキャップ１０は、器具本体２の左右方向の両端部にそれぞれ取り付けられる。一対のエンドキャップ１０は、凹溝２０の左右方向の両端をそれぞれ閉塞する。
【００２４】
器具本体２は光源ユニット３を支持する。本実施形態の光源ユニット３は、取付板６、複数の光源モジュール５、電源装置３０及びカバー３２を有し、これらを一つのユニットとした装置である。
【００２５】
取付板６は、金属板８を曲げ加工することにより形成された板金加工品である。本実施形態の取付板６は、図２に示すように、断面Ｕ字状に形成されている。
【００２６】
取付板６は、厚み方向が上下方向と平行で、かつ長手方向が左右方向と平行な矩形板状の底板部６２と、底板部６２の前後両端部からそれぞれ上方に突出した一対の側板部６３とを有している。
【００２７】
底板部６２の下面には、光源モジュール５を収容する凹部６４が底板部６２の長手方向に亘って形成されている。凹部６４の上底は、平板状で厚み方向が上下方向と平行な基板取付部６６で構成される。基板取付部６６の下面は、基板５０の第１面５１に対向する面であり、平面である。
【００２８】
図３に示すように、基板取付部６６の長手方向の一端部には、上下方向に貫通した電線用孔６７が形成されている。電線用孔６７には、電源装置３０に接続された電線が通される。
【００２９】
取付板６の上面には、電源装置３０が配置される。電源装置３０は、ケース３００と、ケース３００に収納される電源回路３０１とを有している。電源回路３０１は、プリント配線板３０２に多数の回路部品３０３が実装されて構成されている。
【００３０】
ケース３００は、取付板６に取り付けられる。回路部品３０３は、光源５４の点灯電力を生成するために必要な部品であり、例えばトランス、ダイオード及びコンデンサ等である。電源回路３０１は、入力用の電線を介して端子台１１１に電気的に接続され、出力用の電線を介して基板５０に実装されている光源５４と電気的に接続される。
【００３１】
取付板６の凹部６４には、複数の光源モジュール５が収容される。各光源モジュール（ＬＥＤモジュール）５は、合成樹脂材料によって長尺に形成された基板５０と、基板５０の下面（第２面５２）に実装されている複数の光源５４とを有している。
【００３２】
本実施形態の光源ユニット３は、複数の基板５０として、左右方向に並んで配置される一対の基板５０を有している。
【００３３】
各基板５０は、厚み方向が上下方向と平行で、かつ長手方向が左右方向と平行な矩形板状のプリント基板である。各基板５０は、厚み方向の両面のうちの一方の面である第１面５２と、第１面５２とは反対側の面である第２面５２とを有している。第１面５１及び第２面５２の各々は、平面である。
【００３４】
第１面５２は、基板５０の上面であり、基板取付部６６の下面に沿って配置される。第２面５２は、基板５０の下面であり、電子部品が実装される実装面である。
【００３５】
各基板５０の第２面５２には、複数の光源５４が実装される。各光源５４は、固体発光素子であり、詳しくは、発光ダイオードである。図４Ａに示すように、各基板５０に実装された複数の光源５４は、対応する基板５０における前後方向（基板５０の幅方向）の中央部において、左右方向（基板５０の長手方向）に間隔をあけて一直線上に並ぶ。
【００３６】
図３に示す各基板５０は、複数の光源５４に電力を供給する電源装置３０に電気的に接続される。本実施形態では、複数の基板５０のうちの一つの基板５０の第２面５２にコネクタ３５が実装されており、コネクタ３５が電線用孔６７に通された前記電線を介して電源装置３０に電気的に接続される。また、図４Ａに示すように、各基板５０の第２面５２において隣接する基板５０側の端部には、コネクタ３３が実装されており、隣接する基板５０のコネクタ３３同士が接続される。これにより、電源装置３０から各基板５０の光源５４に電力が供給される。各光源５４は、電源装置３０から電力が供給されることにより点灯し、下方に光を照射する。
【００３７】
各基板５０は、取付板６に形成された複数の押さえ片７によって、第２面５２が押さえられることにより、取付板６に固定される。本実施形態では、基板取付部６６における各基板５０に対応する部分に、前後方向に並んだ２つの押さえ片７で構成される押さえ片７の組が、左右方向に複数形成される。
【００３８】
各押さえ片７は、基板取付部６６から基板５０が位置する下方に向かって突出する。各押さえ片７は、取付板６を構成する金属板８の一部を切り起こし加工することにより形成された切り起こし片である。
【００３９】
図４Ｂに示すように、本実施形態の各押さえ片７は、基板取付部６６から下方に突出した突出部７０と、突出部７０の下端部から、水平方向（基板５０の厚み方向と直交する方向）に突出した押さえ部７１とを有している。
【００４０】
本実施形態では、突出部７０が前後方向と直交する板状に形成されている。また、押さえ部７１は突出部７０の下端部から、対応する基板５０に隣接した基板５０とは反対側に向かって突出している。
【００４１】
図４Ａに示すように、各基板５０において、各押さえ片７に対応する部分には、上下方向に貫通した開口部５３が形成されている。本実施形態では、各基板５０の前端部及び後端部の各々に、左右方向に並ぶ複数の切欠が形成されており、これら複数の切欠の各々が開口部５３を構成している。なお、前記「切欠」には、基板５０の一部を実際に切り欠いて形成されたものはもちろん、基板５０の成形と同時に形成されたものも含まれる。
【００４２】
図４Ｂに示すように、取付板６の各押さえ片７は、対応する開口部５３を上下方向に貫通する。各押さえ片７の突出部７０は、対応する開口部５３に位置する。各押さえ片７の押さえ部７１は、対応する基板５０よりも下方に位置する。
【００４３】
本実施形態の各押さえ片７は、押さえ部７１の先端側部分が、突出部７０から離れた部分ほど、対応する基板５０の前後方向の中央側に位置するように、突出部７０に対して曲げられる。
【００４４】
各押さえ片７の押さえ部７１の上端面（後述する接触面７２０）は、対応する基板５０の第２面５２の下方に位置し、当該第２面５２に接する。これにより、各基板５０は、基板取付部６６と、対応する複数の押さえ片７の押さえ部７１とで、上下方向に挟まれて、取付板６に固定される。
【００４５】
本実施形態の各押さえ片７の押さえ部７１は、図５に示すように、上方（第２面５２）が外側となり、下方（第２面５２とは反対側）が内側となるように曲がった板状に形成される。押さえ部７１は、上端部同士が曲がり部７１３を介して接続された第１板状部７１１及び第２板状部７１２で構成される。
【００４６】
図４Ｂに示すように、第１板状部７１１は、突出部７０の下端部から対応する基板５０の第２面５２に沿うように突出する。第２板状部７１２は第１板状部７１１にのみ接続され、突出部７０には接続されない。
【００４７】
第１板状部７１１と第２板状部７１２とは、各々の厚み方向に対向する。第１板状部７１１の厚み方向の一方の面は、第２板状部７１２の厚み方向の一方の面と接する。
【００４８】
図５に示すように、曲がり部７１３は、基板５０の第２面５２に向かう上方に突出し、第２面５２に接触する。すなわち、本実施形態では、曲がり部７１３が第２面５２に接触する接触部７２を構成する。
【００４９】
曲がり部７１３の上端面は、上方に突出した弧状の曲面となる。本実施形態では、この曲面が、接触部７２において第２面５２に接触する部分となる接触面７２０を構成する。
【００５０】
各押さえ片７は、曲面形状に形成された接触面７２０が対応する基板５０の第２面５２に接触する。このため、各押さえ片７の第２面５２に対する接触面積は、押さえ部７１の厚み方向に沿った端面の面積よりも小さくなり、基板５０の第２面５２と押さえ片７の押さえ部７１とが擦れて音が発生することが抑制される。
【００５１】
第２面５２と押さえ部７１とが擦れる要因としては、例えば光源５４（図４Ａ参照）の点消灯の切換えに伴って、基板５０及び取付板６の各々の温度が変化することが挙げられる。この場合、基板５０の熱膨張係数と、取付板６の熱膨張係数との違いにより、押さえ部７１が第２面５２に対して変位し、第２面５２と押さえ部７１とが擦れる。また、照明器具１が振動したときにも、第２面５２と押さえ部７１とは擦れやすい。
【００５２】
仮に押さえ片７の接触面７２０が、金属板８の打ち抜き加工時等において切断された切断面であると、この切断面に生じた「かえり」の影響で、接触部７２の第２面５２に対する摩擦抵抗が大きくなる可能性がある。しかし、本実施形態の接触面７２０は、金属板８を曲げ加工することにより形成された曲面であるため、前記「かえり」の影響による音の発生も抑制される。
【００５３】
本実施形態の各押さえ片７は、切り起こし片であって、取付板６を構成する金属板８に対して、例えば、以下に示すように切り起こし加工を施すことによって形成される。
【００５４】
まず、平板状の金属板８において、基板取付部６６を構成する部分８５の一部が、打ち抜き加工されることで、図６に示すように、平板状の金属板８に、金属板８を厚み方向に貫通した抜き孔８０と、抜き孔８０で囲まれた切り起こし部８４とが形成される。
【００５５】
切り起こし部８４は、突出板部８３、第１板部８１及び第２板部８２を有する。突出板部８３は、金属板８において基板取付部６６を構成する部分８５から突出している。突出板部８３は、部分８５に対して直角に曲げられることで、突出部７０となる。以下、平板状の金属板８において、突出板部８３が部分８５から突出する方向を突出方向という。
【００５６】
第１板部８１は、突出板部８３の先端部（突出方向の端部）から、突出方向と直交する方向に突出している。第１板部８１は、第１板状部７１１となる部分である。
【００５７】
第２板部８２は、第１板部８１から、突出方向とは逆方向に突出し、突出板部８３の基部に対向する。第２板部８２は、第１板部８１に対して第１板部８１と重なり合うように曲げられることで、第２板状部７１２となる。
【００５８】
すなわち、本実施形態の各押さえ片７は、突出板部８３を部分８５に対して直角に曲げ、第２板部８２を第１板部８１に対して折り返すように曲げることで、形成される。なお、第２板部８２の第１板部８１に対する曲げ加工は、突出板部８３が部分８５に対して曲げられた後に行われてもよいし、突出板部８３が部分８５に対して曲げられる前に行われてもよい。
【００５９】
図２に示すように、取付板６には、複数の基板５０を下方から覆うカバー３２が着脱可能に取り付けられる。カバー３２は、例えば乳白色のアクリル樹脂等、拡散性を有する材料から形成される。各光源５４から発せられた光は、カバー３２を透過してカバー３２の下方に出る。
【００６０】
カバー３２の前後方向の両端部には、上方に突出した一対の掛止部３４がそれぞれ形成されている。一対の掛止部３４が、取付板６の一対の側板部６３にそれぞれ引っ掛けられることで、カバー３２は、取付板６に取り付けられる。
【００６１】
光源ユニット３は、例えば、取付板６に設けられた被嵌合部を器具本体２に設けられた嵌合部に嵌合することにより、器具本体１に取り付けられる。
【００６２】
光源ユニット３は、例えば、以下のように組み立てられる。まず、作業者は、図３に示す、電源装置３０を、取付板６に取り付ける。
【００６３】
次に、作業者は、取付板６の基板取付部６６に沿って複数の基板５０を配置する。このとき、取付板６の各押さえ片７は、対応する基板５０の開口部５３に通される。
【００６４】
次に作業者は、図４Ｂに示すように、各押さえ片７の押さえ部７１を対応する基板５０の前後方向の中央側に向かって曲げる。これにより、各押さえ片７の押さえ部７１の接触部７２は、対応する基板５０の第２面５２に押し付けられて、各基板５０が取付板６に対して固定される。つまり、本実施形態の基板５０は、対応する押さえ片７の押さえ部７１が、かしめられることにより、取付板６に対して固定される。
【００６５】
次に作業者は、図３に示すコネクタ３５に接続された前記電線を取付板６の電線用孔６７に通して電源装置３０に接続する。次に作業者は、カバー３２を取付板６に取り付ける。このようにして、光源ユニット３が組み立てられる。
【００６６】
照明器具１は、例えば以下のように施工される。まず、作業者は、天井材９０（図２参照）を通して室内に露出した前記電源線を、器具本体２の電源線用孔２１に通す。また、作業者は、天井材９０を通して室内に露出した複数の吊ボルト９１（図２参照）を、器具本体２の複数の吊ボルト用孔２２にそれぞれ通す。
【００６７】
次に作業者は、図２に示すように、複数の吊ボルト９１の各々にナット９２を取り付けて、器具本体２を天井材９０に固定する。次に、作業者は、器具本体２の端子台１１１（図３参照）に前記電源線を接続する。
【００６８】
次に作業者は、端子台１１１と電源装置３０とを前記電線を介して電気的に接続した後、光源ユニット３を器具本体２に取り付ける。このようにして、照明器具１は、天井に施工される。
【００６９】
（３）変形例
次に前記実施形態の変形例について説明する。なお、以下の各変形例の説明では、前記実施形態と共通する構成については同一の符号を付して説明を省略する。
【００７０】
（３―１）変形例１
変形例１の押さえ片７の押さえ部７１は、図７に示すように、曲がり部７１３の上面（第２面５２に対向する面）に、上方（基板５０の第２面５２）に向かって突出した球面状の突起７１４が形成されている。突起７１４は、例えば、曲がり部７１３における他の部分よりも、０．３ｍｍ程度上方に突出するように形成される。
【００７１】
本変形例の突起７１４は、曲がり部７１３における前後方向の一部の上端部に形成される。本変形例では、この突起７１４により接触部７２が構成され、この突起７１４の上面（第２面５２に臨む面）により接触面７２０が構成される。
【００７２】
接触面７２０は、上方に突出した球面である。なお、本開示における「球面」とは、球体の表面の一部の形状を意味する。また、前記球体には真球だけでなく、回転楕円体等の非真球も含まれる。
【００７３】
突起７１４は、例えば、図８に示すように、切り起こし部８４における第１板部８１と第２板部８２との境界部分に、絞り加工を行うことにより形成される。なお、この絞り加工は、第２板部８２を第１板部８１に対して曲げる前に行われてもよいし、第２板部８２を第１板部８１に対して曲げた後に行われてもよい。
【００７４】
本変形例では、図７に示すように、球面である接触面７２０が、基板５０の第２面５２に点接触する。このため、押さえ片７の第２面５２に対する接触面積が小さくなる。
【００７５】
（３―２）変形例２
変形例２の押さえ片７の押さえ部７１は、図９及び図１０に示すように、基板取付部６６（基板５０の第２面５２）の下面に沿った板状に形成される。押さえ部７１は、突出部７０から離れた部分ほど上方に位置するように曲がっている。
【００７６】
押さえ部７１の先端部（突出部７０とは反対側の端部）の上面（第２面５２に対向する面）には、変形例１の突起７１４と同様の突起７１４が設けられている。本変形例では、この突起７１４により接触部７２が構成され、突起７１４の球面状に形成された上面により、接触面７２０が構成される。
【００７７】
本変形例の押さえ片７も、取付板６を構成する金属板８に切り起こし加工を行うことにより形成される。この場合、金属板８において押さえ部７１となる部分は、突出部７０となる部分に対して直角に曲げられることで形成される。また、突起７１４は、金属板８における押さえ部７１となる部分の一部を絞り加工することにより形成される。
【００７８】
本変形例では、図９に示すように、球面である接触面７２０が、基板５０の第２面５２に点接触する。このため、押さえ片７の第２面５２に対する接触面積が小さくなる。
【００７９】
また、接触部７２が第２面５２に接触した状態では、第２面５２に沿った板状の押さえ部７１が、下方（第２面５２とは反対側）に向かって弾性変形して、接触部７２を上方に押す。このため、基板５０は基板取付部６６と押さえ片７との間にしっかりと挟まれて固定される。
【００８０】
（４）補足
前記実施形態及び各変形例の照明器具１及び光源ユニット３は、適宜設計変更可能である。例えば、押さえ片７は、切り起こし加工を伴わない曲げ加工によって形成されてもよい。
【００８１】
また、光源ユニット３は、基板５０を一枚のみ有してもよいし、３枚以上有してもよい。
【００８２】
また、基板５０に形成される開口部５３は、基板５０を上下方向に貫通する孔であってもよい。
【００８３】
また、光源５４は、発光ダイオードに限られず、例えば、半導体レーザ等の半導体発光素子、有機エレクトロルミネセンス素子又は無機エレクトロルミネセンス素子等のその他の発光素子であってもよい。
【００８４】
また、取付板６は、前記実施形態の接触部７２を有する押さえ片７、変形例１の接触部７２を有する押さえ片７及び変形例２の接触部７２を有する押さえ片７のうち、２種以上の押さえ片７を有してもよい。
【００８５】
また、前記実施形態及び変形例１の第２板部８２は、第１板部８１と重なり合うように曲げられるが、第１板部８１とは重なり合わず、第１板部８１との間に隙間が形成されるように曲げられてもよい。
【００８６】
また、器具本体２の材質や形状は、特に限定されない。
【００８７】
また、変形例２の接触面７２０は球面であるが、前記実施形態の接触面７２０と同様の弧状の曲面であってもよい。この場合、接触面７２０は、例えば、第２面５２に沿った板状の押さえ部７１の一部を上側に突出するように曲げることで、形成される。また、変形例２の押さえ部７１の形状は、限定されず、例えば、第２面５２と平行な板状であってもよい。
【００８８】
（５）まとめ
以上説明した、実施形態及び各変形例の光源ユニット（３）は、以下に示す構成を有する。光源ユニット（３）は、光源（５４）と、光源（５４）が実装された基板（５０）と、基板（５０）が取り付けられる金属製の取付板（６）とを備える。基板（５０）は、取付板（６）に対向する第１面（５１）と、第１面（５１）とは反対側の面であり、かつ、光源（５４）が実装された第２面（５２）とを有する。取付板（６）は、基板（５０）側に向かって突出した押さえ片（７）を有する。押さえ片（７）は、第２面（５２）に向かって突出し第２面（５２）に接触する接触部（７２）を有する。接触部（７２）の第２面（５２）との接触面（７２０）が第２面（５２）に向かって突出する曲面形状に形成されている。以下、この構成を有する光源ユニット（３）を第１の態様の光源ユニット（３）という。
【００８９】
第１の態様の光源ユニット（３）は、接触部（７２）の第２面（５２）との接触面（７２０）が、第２面（５２）に向かって突出する曲面である。このため、接触部（７２）の第２面（５２）に対する接触面積が小さくなり、基板（５０）と接触部（７２）とが擦れて音が発生することが抑制される。
【００９０】
また、前記実施形態の光源ユニット（３）は、第１の態様の光源ユニット（３）において、以下に示す構成を有する。接触面（７２０）は、弧状の曲面である。以下、この光源ユニット（３）を第２の態様の光源ユニット（３）という。
【００９１】
第２の態様の光源ユニット（３）は、弧状の曲面である接触面（７２０）が第２面（５２）に線接触し、これにより、接触部（７２）の第２面（５２）に対する接触面積が小さくなる。
【００９２】
また、変形例１及び変形例２の光源ユニット（３）は、第１の態様の光源ユニット（３）において、以下に示す構成を有する。接触面（７２０）は、球面である。以下、この光源ユニット（３）を第３の態様の光源ユニット（３）という。
【００９３】
第３の態様の光源ユニット（３）は、球面である接触面（７２０）が、第２面（５２）に点接触し、これにより、接触部（７２）の第２面（５２）に対する接触面積が小さくなる。
【００９４】
また、変形例１の光源ユニット（３）は、第１〜第３の態様の光源ユニット（３）において、以下に示す構成を有する。押さえ片（７）は、第２面（５２）側が外側となるように曲がった曲がり部（７１３）を有する。曲がり部（７１３）の第２面（５２）に対向する面に、接触部（７２）が設けられる。以下、この光源ユニット（３）を、第４の態様の光源ユニット（３）という。
【００９５】
第４の態様の光源ユニット（３）は、曲がり部（７１３）の第２面（５２）に対向する面に設けられた接触部（７２）が、第２面（５２）に接触する。また、寸法誤差等によって曲がり部（７１３）における接触部（７２）以外の部分が第２面（５２）に接触したとしても、この曲がり部（７１３）の第２面（５２）に対する接触面積が小さくなる。したがって、曲がり部（７１３）と第２面（５２）とが擦れて音が発生することが抑制される。
【００９６】
また、変形例２の光源ユニット（３）は、第１〜第３の態様の光源ユニット（３）において、以下に示す構成を有する。押さえ片（７）は、第２面（５２）に沿う板状の押さえ部（７１）を有する。押さえ部（７１）の第２面（５２）に対向する面に、接触部（７２）が設けられている。以下、この光源ユニット（３）を第５の態様の光源ユニット（３）という。
【００９７】
第５の態様の光源ユニット（３）は、第２面（５２）に沿う板状の押さえ部（７１）に設けられた接触部（７２）が、第２面（５２）に接触する。そして、接触部（７２）が第２面（５２）に接触した状態において、第２面（５２）に沿った板状の押さえ部（７１）が、第２面（５２）とは反対側に向かって弾性変形して、接触部（７２）を第２面（５２）側に押す。このため、基板（５０）が取付板（６）にしっかりと固定される。
【００９８】
また、前記実施形態及び各変形例の照明器具（１）は、以下に示す構成を有する。照明器具（１）は、第１〜第５のいずれかの態様の光源ユニット（３）と、光源ユニット（３）を支持する器具本体（２）とを有する。以下、この構成を有する照明器具（１）を第１の態様の照明器具（１)という。
【００９９】
第１の態様の照明器具（１）は、光源ユニット（３）が器具本体（２）で支持される照明器具であり、光源ユニット（３）が照明器具（１）の一部として利用される。
【符号の説明】
【０１００】
１  照明器具
５０  基板
５１  第１面
５２  第２面
５４  光源
６  取付板
７  押さえ片
７１  押さえ部
７１３  曲がり部
７１４  突起
７２  接触部
７２０  接触面
【図１】
2019133810.tif 000003
【図２】
2019133810.tif 000004
【図３】
2019133810.tif 000005
【図４】
2019133810.tif 000006
【図５】
2019133810.tif 000007
【図６】
2019133810.tif 000008
【図７】
2019133810.tif 000009
【図８】
2019133810.tif 000010
【図９】
2019133810.tif 000011
【図１０】
2019133810.tif 000012